【手続補正書】
【提出日】平成27年1月16日(2015.1.16)
【手続補正１】
【補正対象書類名】明細書
【補正対象項目名】００３６
【補正方法】変更
【補正の内容】
【００３６】
対応する構造、材料、行為、および全ての手段またはステップの均等物に加えて、以下の特許請求の範囲における機能的要素は、明確に請求される通り、請求された他の要素と組み合わせて機能を行うためのあらゆる構造、材料、または行為を含むことが意図される。本発明の記載は例示と記載との目的のために提示されたが、網羅的であること、または開示された形態に本発明を限定することを意図していない。多数の改変および変化形が本発明の範囲と精神とを逸脱することなく当業者には明らかである。実施形態は、本発明の原理と実用的な用途とを最も良く説明するために、そして、当業者が、企図された特定の用途にふさわしいと、様々な改変を有する様々な実施形態に関して本発明を理解できるように選択され記載される。
なお、本発明は、実施の態様として以下の内容を含む。
［態様１］
差動電流モニタリングに基づいてバッテリの特性を測定するためのシステムであって、前記システムは、
第１のバッテリと、
前記第１のバッテリと並列に接続されている、第２のバッテリと、
少なくとも１つの電流測定装置を備える差動電流測定モジュールであって、前記差動電流測定モジュールは前記第１のバッテリおよび前記第２のバッテリに関連付けられる差動電流を測定するように構成されている、差動電流測定モジュールとを備えるシステム。
［態様２］
態様１に記載のシステムにおいて、前記差動電流測定モジュールは前記測定された差動電流に基づいて前記第１のバッテリにおける不具合を検知するようにさらに構成されているシステム。
［態様３］
態様１または２のうちのいずれかに記載のシステムにおいて、前記差動電流測定モジュールは前記第１のバッテリに関連付けられる第１の電流を測定するように構成された第１の電流測定装置と、前記第２のバッテリに関連付けられる第２の電流を測定するように構成された第２の電流測定装置とを備え、前記差動電流は前記第１の電流と前記第２の電流との間の差であるシステム。
［態様４］
態様１または２に記載のシステムにおいて、前記差動電流測定モジュールは前記第１のバッテリと前記第２のバッテリとのうちの一方に関連付けられる第１の電流を測定するように構成された第１の電流測定装置と、前記第１のバッテリと前記第２のバッテリとにおける総電流を測定するように構成された第２の電流測定装置とを備え、前記差動電流は前記第１の電流と前記総電流とに基づいて測定されるシステム。
［態様５］
態様３または４に記載のシステムにおいて、前記第１の電流測定装置と前記第２の電流測定装置は、それぞれ、ホール効果トランスデューサ、電流検出抵抗器、誘導センサ、電流シャント、および増幅を有する電流検出抵抗器のうちの１つを備えるシステム。
［態様６］
態様１または２に記載のシステムにおいて、
第３のバッテリと、
第４のバッテリであって、前記第２のバッテリは前記第３のバッテリと並列に接続される、第４のバッテリと、
前記第３のバッテリおよび前記第４のバッテリに関連付けられる差動電流を測定するように構成された追加の差動電流測定モジュールと、
をさらに備え、
当該システムが、前記第１のバッテリおよび前記第２のバッテリに関連付けられる前記差動電流を前記第３のバッテリおよび前記第４のバッテリに関連付けられる前記差動電流と比較するように構成されているシステム。
［態様７］
態様１または２に記載のシステムにおいて、前記差動電流測定モジュールは前記第１のバッテリと前記第２のバッテリとの間に配置されたスイッチをさらに備え、前記スイッチは、
前記第２のバッテリから前記第１のバッテリの接続を断ち、
診断期間の経過後に、前記第１のバッテリと前記第２のバッテリとを再接続するように構成され、
前記差動電流測定モジュールは、前記第１のバッテリと前記第２のバッテリとが再接続された後に、前記第１のバッテリおよび前記第２のバッテリに関連付けられる前記差動電流を測定するように構成された電流測定装置をさらに備えることを特徴とするシステム。
［態様８］
態様７に記載のシステムにおいて、前記スイッチと前記電流測定装置とは金属酸化物半導体電界効果トランジスタ（ＭＯＳＦＥＴ）を備え、前記差動電流は前記ＭＯＳＦＥＴのドレイン−ソース電圧に基づいて測定されるシステム。
［態様９］
態様７に記載のシステムにおいて、前記第１のバッテリは並列に接続された第１の電池と第２の電池とを備え、前記第１の電池と前記第２の電池との間に配置された追加のスイッチを備える追加の差動電流測定モジュールをさらに備え、前記追加のスイッチは
前記第１のバッテリにおける不具合の存在が検出された後に、前記第２の電池から前記第１の電池の接続を断ち、
診断期間の経過後に前記第１の電池と前記第２の電池とを再接続するように
構成され、
前記追加の差動電流測定モジュールは、前記第１の電池と前記第２の電池とが再接続された後に、前記第１の電池および前記第２の電池に関連付けられる差動電流を測定するように構成された追加の電流測定装置をさらに備えるシステム。
［態様１０］
差動電流モニタリングに基づいてバッテリの特性を測定するための方法であって、
前記第１のバッテリが前記第２のバッテリに並列に接続されている状態で、第１のバッテリおよび第２のバッテリに関連付けられる差動電流を測定することを含む方法。
［態様１１］
態様１０に記載の方法において、前記測定された差動電流に基づいて前記第１のバッテリにおける不具合を検知することをさらに含む方法。
［態様１２］
態様１０または１１に記載の方法において、前記第１のバッテリおよび前記第２のバッテリに関連付けられる前記差動電流を測定することは、
前記第１のバッテリに関連付けられる第１の電流を測定することと、
前記第２のバッテリに関連付けられる第２の電流を測定することと、
前記第１の電流と前記第２の電流との間の差を測定することと
を含む方法。
［態様１３］
態様１０または１１に記載の方法において、
前記第３のバッテリが前記第４のバッテリと並列に接続されている状態で、第３のバッテリおよび第４のバッテリに関連付けられる差動電流を測定すること、
前記第１のバッテリおよび前記第２のバッテリに関連付けられる前記差動電流を前記第３のバッテリおよび前記第４のバッテリに関連付けられる前記差動電流と比較することと
をさらに含む方法。
［態様１４］
態様１０に記載の方法において、
前記第１のバッテリと前記第２のバッテリとの間に配置されたスイッチによって前記第２のバッテリから前記第１のバッテリの接続を断つことと、
診断期間の経過後に、前記スイッチによって前記第１のバッテリと前記第２のバッテリとを再接続することと、
前記第１のバッテリにおける不具合の存在を検出するために最小不具合しきい値と前記測定された差動電流を比較することと
をさらに含み、
前記第１のバッテリおよび前記第２のバッテリに関連付けられる前記差動電流を測定することを、前記第１のバッテリと前記第２のバッテリとを再接続した後に行う、
方法。
［態様１５］
態様１４に記載の方法において、
前記スイッチによって前記第１のバッテリと前記第２のバッテリとの接続を断つ前に前記第１のバッテリと前記第２のバッテリとが定常状態にあるように、前記第１のバッテリと前記第２のバッテリとの接続を断つ前に所定の期間の間、前記第１のバッテリと前記第２のバッテリとを接続することと、
前記第１のバッテリにおける不具合の検知に応じて前記スイッチによって前記第２のバッテリから前記第１のバッテリの接続を断つことと
をさらに含む方法。